(57)【要約】【課題】  便器内の溜水量の変化量を計測することによって尿流量の測定を行なう尿流量測定便器を使用するに際して、尿流量の測定の精度を低下させずに検体を採取することが可能な尿採取容器を提供する。【解決手段】  被験者が洋風大便器へ排尿した尿の少なくとも一部を採尿するための尿採取容器であって、洋風大便器の溜水面に接する底壁部と、該底壁部から立設して前記底壁部と共に採尿空間を形成する側壁部と、を有し、全体が水溶性の材質によって形成されている。【選択図】  図２
2016114542.tif 000002
【特許請求の範囲】
【請求項１】
被験者が洋風大便器へ排尿した尿の少なくとも一部を採尿するための尿採取容器であって、
前記洋風大便器の溜水面に接する底壁部と、
該底壁部から立設して前記底壁部と共に採尿空間を形成する側壁部と、
を有し、
全体が水溶性の材質によって形成されている尿採取容器。
【請求項２】
前記側壁部の一部の上端より高く延びており、被験者からの排尿を受け止めて前記採尿空間へと導くガイド部を有する請求項１記載の尿採取容器。
【請求項３】
前記底壁部から前記側壁部の上端までの高さよりも、前記側壁部の上端から前記ガイド部の上端までの高さの方が大きい請求項２記載の尿採取容器。
【請求項４】
前記底壁部に対して前記側壁部が略垂直に立ち上がっている請求項１乃至請求項３何れか一項に記載の尿採取容器。
【請求項５】
前記底壁部と前記側壁部とは連続した1枚の紙片からなり、前記底壁部は縁が多角形状の平坦面である請求項１乃至請求項４何れか一項に記載の尿採取容器。
【発明の詳細な説明】
【技術分野】
【０００１】
本発明は、被験者が排泄行為で洋風大便器のボウル部内に尿を排出するときのボウル部内の溜水量の変化量を計測することによって尿流量（排出される尿の総量である尿量や、単位時間当たりに排泄される尿量で表わされる尿流率の何れか、またはこれらを併せて、以下ではこう呼ぶ）を測定する尿流量測定便器を使用する際に、尿流量を測定しながら、尿の少なくとも一部を採取するのに好適な尿採取容器に関わる。
【背景技術】
【０００２】
泌尿器関係の診断に必要な排尿情報として、被験者が排泄する尿（以下、この尿を「排尿」とも呼ぶ）の尿流量が用いられており、近年、この尿流量の測定を、便器内に放尿させたときの便器ボウル内の溜水量の変化量を体積・水位変化や重量変化を計測することによって行なう装置が考えられており、その一例として溜水の水位変化から体積変化を求める尿流量測定便器なるものがある（特許文献１参照）。
【０００３】
また、特許文献１の尿流量測定便器においては特定成分測定用の検体採取を行なうことが出来ないという問題点に鑑み、大便器に係止されて使用され、所定量の尿だけを分取して残りをボウル内に排出する尿採取装置が提案されている（特許文献２参照）。
【先行技術文献】
【特許文献】
【０００４】
【特許文献１】特開２００６−２１９９７７号公報
【特許文献２】特開２０１１−２７７３３号公報
【発明の概要】
【発明が解決しようとする課題】
【０００５】
特許文献２の尿採取装置を特許文献１の尿流量測定便器で用いることにより、尿検体採取と尿流量測定を同時に実施することが一応は可能であるが、この尿採取装置においては排尿の一部が溜水に入らずに分取されるため、その分取された尿量分は尿流量の測定結果の精度が低下するため、分取された尿量分の補正が必要となるという問題があった。また、洋風大便器のリムに係止されて使用されるため、尿採取装置が使用者に対して圧迫感を与えてしまうという問題もあった。併せて使用後の尿採取装置は、清浄・清掃が不可避であり医療従事者の手間がかかるという問題もあった。
【０００６】
本発明は、上記問題を解決するためになされたもので、本発明の課題は、便器内の溜水量の変化量を計測することによって尿流量の測定を行なう尿流量測定便器を使用するに際して、普段通りの排泄をするだけで、尿流量の測定の精度を低下させずに、かつ、衛生的に特定成分濃度の測定に供する尿検体を同時に採取することが可能な尿採取容器を提供することを目的とするものである。
【課題を解決するための手段】
【０００７】
上記目的を達成するために本発明に係わる尿採取容器は、被験者が洋風大便器へ排尿した尿の少なくとも一部を採尿するための尿採取容器であって、洋風大便器の溜水面に接する底壁部と、該底壁部から立設して前記底壁部と共に採尿空間を形成する側壁部と、を有し、全体が水溶性の材質によって形成されている。
【０００８】
本発明によれば、尿採取容器を洋風大便器の溜水面に浮かべた状態で使用されるため、洋風大便器の溜水量の変化量を計測することによって尿流量を計測する尿流量測定便器で用いた場合に、補正の必要がなく、高精度な測定を行なうことができる。また、尿採取容器としては、溜水面に浮かべて必要な尿検体を採取できる大きさで良いため小型化が可能であり、洋風大便器に腰掛けて使用する被験者が圧迫感を感じずに普段の排尿を行うことができる。更に、全体が水溶性の材質によって形成されているため、便器洗浄動作を行うだけで尿と共に尿採取容器も排水配管に排出することができ、医療従事者が排泄物に触れる頻度を減少させることが可能である。
【０００９】
また、本発明において好ましくは、前記側壁部の一部の上端より高く延びており、被験者からの排尿を受け止めて前記採尿空間へと導くガイド部を有することにより、被験者における排尿方向にガイド部を位置させることで、必要な量の尿検体を確実に採取することが可能である。
【００１０】
また、本発明において好ましくは、前記底壁部から前記側壁部の上端までの高さよりも、前記側壁部の上端から前記ガイド部の上端までの高さの方が大きいことにより、全体としての高さを抑えながらガイド部を大きくすることができ、概して溜水に直接排出される女性の尿だけでなく、陰茎から排泄される男性の尿も普段の排尿を行うだけで容器内に採取可能である。
【００１１】
また、本発明において好ましくは、前記底壁部に対して前記側壁部が略垂直に立ち上がっていることにより、採尿空間に尿が溜まって側壁部の一部が溜水に水没しても、形状が安定していて採尿空間内の尿に溜水が入り込むことを防ぐことができる。
【００１２】
また、本発明において好ましくは、前記底壁部と前記側壁部とは連続した1枚の紙片からなり、前記底壁部は外縁が多角形状の平坦面であることにより、採尿空間の水密性を確保することができると共に、その製造も簡単に行うことができる。
【発明の効果】
【００１３】
本発明の尿採取容器によれば、尿流量測定便器で用いた場合に、補正の必要がなく、高精度な測定を行なうことができる。また、尿採取容器としては小型化でき、洋風大便器に腰掛けて使用する被験者が圧迫感を感じずに普段の排尿を行うことができる。更に、便器洗浄動作を行うだけで尿と共に尿採取容器も排水配管に排出することができ、医療従事者が排泄物に触れる頻度を減少させることが可能である。
【図面の簡単な説明】
【００１４】
【図１】本発明の尿採取容器が利用される尿流量測定便器を示す斜視図である。
【図２】本発明の実施形態における尿採取容器の全体を示す斜視図である。
【図３】図２の尿採取容器の開図である。
【図４】本発明の尿採取容器の使用状態を示す洋風大便器の断面図である。
【発明を実施するための形態】
【００１５】
以下、図面を参照しながら本発明の尿採取容器の実施形態の一例について説明する。
図１は、本発明の尿採取容器が利用される尿流量測定便器を示す斜視図である。尿流量測定便器Ａは、洋風大便器１の上部に便座２１を回動自在に支持した衛生洗浄装置２が固定されており、尿流量の測定機能部（図示せず）は後部に設置されたキャビネット３の中に収納されている。そして、本発明に係わる尿採取容器４０は破線で示されているように、洋風大便器１内部の溜水に浮かせた状態で使用される。
【００１６】
洋風大便器１は陶器製もしくは樹脂製であり、使用者が大小便などの排泄物を排泄するボウル部１１に向けて洗浄水を供給可能な図示しない便器洗浄機能部を有している。洋風大便器１には、ボウル部１１から上昇管路とそれに続く下降管路から成るトラップ流路１４（図４参照）が形成されており、トラップ流路１４の下流側は建造物の排水管路（図示せず）へと接続されている。そのため、ボウル部１１の底部には溜水（図４参照）が形成されており、使用者（以下では、被験者とも呼ぶことがある）は、排泄後に便器洗浄機能部を操作してボウル部１１に向けて洗浄水を供給することで溜水と共に排泄物を排水配管へと排出可能である。このように、尿流量測定便器Ａは、通常の排泄行為の用途にも使用できる水洗式大便器となっている。また、使用者の上半身を支えることを配慮した背もたれ３１を、キャビネット３の前面に設置している。
【００１７】
操作・表示部７は、衛生洗浄装置操作用リモコン７１と排泄情報測定用リモコン７２から構成され、壁に取り付けられている。測定結果はキャビネット３の上方に配置されたプリンター６から出力されるだけでなく、院内ＬＡＮを介して電子情報として送信されるものであっても良い。
【００１８】
尿流量測定便器Ａは、被験者が尿流量の測定を行う場合には排泄情報測定用リモコン７２を操作することでボウル部１１の溜水の一部を排水配管へ排出するなどによって、溜水水位を低下させる。このように溜水の水位を低下させた状態で通常の排泄行為と同じようにボウル部１１に向けて排尿されると、尿によってボウル部１１に貯留されている溜水量が増加して水位が変化する量を水圧変化として計測し、それを予め記憶させている関係式に基づいて溜水量変化に換算することによって、排出される尿量や尿流率を測定するものである。
【００１９】
次に、本発明に係わる尿採取容器の一例について説明する。図２は、本発明の実施形態における尿採取容器の全体を示す斜視図であり、図３は、図２における尿採取容器の開図である。
【００２０】
尿採取容器４０は、特に洋風大便器１に座位で排尿する被験者に対して推奨されるものであり、図２に示すように、六角形の底壁部４１と、この底壁部４１の外周の全周から垂直に立設された側壁部４２によって構成されている。この底壁部４１の上面と側壁部４２の上端までの空間が、被験者の放尿した尿を貯めておくための採尿空間を形成している。そして、洋風大便器１の溜水の上面（以下、溜水面とも呼ぶ）に底壁部４１が接するように浮かべて使用されることにより、被験者の排泄する排尿の少なくとも一部が採尿空間に捕集されて貯めておくことができる。
【００２１】
また、尿採取容器４０において、側壁部４２の一部、具体的には、六角形の底壁部４１の隣合う２辺から垂直に立設された側壁部４２には、その上端に連続してガイド部４３が形成されている。このガイド部４３は側壁部４２の一部にしか形成されておらず、そのため全周を囲うものでないため採尿空間を形成するものではない。
【００２２】
ガイド部４３によって、被験者からの排尿を受け止めて前記採尿空間へと導くことができるため、被験者における排尿方向にガイド部４３を位置させた状態で使用することで、必要な量の尿検体を確実に採取することが可能である。具体的には、ガイド部４３が後方側（図１におけるキャビネット側）となるように溜水面に浮かべておくことで、立位で排尿する男性被験者の排尿がガイド部４３によって受け止めやすくなる。一方、ガイド部４３を前方側に向けて溜水面に浮かべて使用することで、座って排尿する被験者の排尿がガイド部４３によって受け止めやすくなる。
【００２３】
なお、このガイド部４３の高さ、即ち、側壁部４２の上端からガイド部４３の上端までの高さは、底壁部４１から側壁部４２の上端までの高さの約２倍の高さとなっている。そのため、尿採取容器４０において採尿空間を形成するための側壁部４２の高さを大きくしてしまうと、尿採取容器４０の全体としての高さが大きくなってしまし、被験者に圧迫感を与える恐れがあるが、ガイド部４３を高くすることでそのような圧迫感を与えることがなく、また、概して溜水に直接排出される女性の尿だけでなく、陰茎から排泄される男性の排尿も確実に受け止めることが可能となり、普段の排尿を行うだけで容器内に採取可能である。
【００２４】
この尿採取容器４０は、水溶性の紙によって形成されている。具体的には、１枚の水溶性の紙片を図３で示した展開図に従ってカットし、隣合う側壁部４２の間の折り返し部４２ａにおいて折り曲げて水溶性の接着剤によって接着し、また、ガイド部４３の間の折り返し部４３ａも同様に折り曲げて接着することで、図２に示す斜視図の構造の尿採取容器４０が製造されている。
【００２５】
このように、底壁部４１と側壁部４２とは、切れ目のない連続した1枚の紙片から製造されていることで、底壁部４１と側壁部４２とによって形成される採尿空間の水密製を確保することができる。また、底壁部４１の外縁が多角形状の平坦面であることにより、底壁部４１から垂直に側壁部４２が立ち上がるように製造することを、底壁部４１の外縁が円弧状である場合に比べて簡単に行うことができる。
【００２６】
また、尿採取容器４０は水溶性の紙であることで、使用後に便器の溜水と共に、便器洗浄を行なって排水配管に搬送することができ、処理のための負荷や、院内感染の恐れを減少させた状態で廃却処理が可能となっている。なお、紙の材質としてはある程度の形状保持力と、ある程度の耐水性を有する紙が好ましく、また、水溶性を阻害しない撥水コーティング処理が片面若しくは両面に施された紙を用いても良い。紙として具体的には、健康診断時に排泄物を所定時間だけ保持する機能を有した『採便用シート』として実用化されているものを用いることができ、例えば、大王製紙株式会社が提供している「丸菱ペーパーテック（株）特殊見本帳」にＮｏ．８７として掲載されている「品名：水溶紙、坪量４３ｇ／ｍ２」などが推奨される。また、尿採取容器４０は紙によって形成されているため、保管時には平板状に折り畳んでおくことができ、保管スペースを減らすことができる。
【００２７】
次に、本実施形態の尿採取容器４０の使用状態について図４を用いて説明する。図４は、本発明の尿採取容器の使用状態を示す洋風大便器の断面図であり、図４（ａ）は採尿前の状態を、図４（ｂ）は採尿後の状態を示す。なお、図４（ａ）及び図４（ｂ）において、採尿前（被験者が排尿する前）のボウル部１１内の溜水１２の水位がＷＬ１で、採尿後（被験者が排尿した後）のボウル部１１内の溜水１２の水位がＷＬ２で示されている。
図４（ａ）のように、採尿前に尿採取容器４０の底壁部４１が洋風大便器１の溜水１２の水面（ＷＬ１）に接した状態且つ浮かんだ状態でセットされる。この採尿前の状態においては、尿採取容器４０は溜水１２に浮かんだ状態であり、溜水の水面高さは尿採取容器４０の有無により変化を生じない。
【００２８】
この状態で被験者が排尿すると、排泄された尿の少なくとも一部が尿採取容器４０の側壁部４２の上端の開口から採尿空間へ入って尿採取容器４０に貯まる。尿採取容器４０に入らなかった尿は溜水１２へと流れ込む。尿採取容器４０の浮力は極めて小さいため、採尿空間に貯まった尿の重みによって溜水１２へ沈んでいき、図４（ｂ）に示すように、尿採取容器４０に貯まっている尿の水面高さと、洋風大便器１の溜水１２の尿交じりの水面高さ（ＷＬ２）とはほぼ等しくなる。そのため、尿採取容器４０を使用したとしても、洋風大便器１を用いた尿流量測定装置Ａで溜水の水位変化を測定することで、洋風大便器１に対して被験者が排尿した尿の全量を測定することができ、尿採取容器４０の使用有無によって測定値としては差が生じることがない。その結果、補正の必要がなく、尿流量測定と検体採取を同時に行うことが可能である。
【００２９】
被験者の尿流率（単位時間当たりの排尿量、ｍＬ／秒）は最大１００ｍＬ／秒程度とされており、尿採取容器４０のサイズとしては、底壁部４１の対角線の長さが１５０mm程度、側壁部４２の深さを３５mm程度としておけば、底壁部４１の対角線長さが、底壁部４１から垂直に立設された側壁部４２の高さの４倍程度となるため、尿の勢いによって転覆することを防ぐことができる。また、尿採取容器４０としては、溜水１２に浮かべて必要な尿検体を採取できる大きさで良いため、側壁部４２の高さを低くして小型化が可能であり、洋風大便器１に腰掛けて使用する被験者が圧迫感を感じずに普段の排尿を行うことができる。
【００３０】
また、尿採取容器４０は、底壁部４１に対して側壁部４２が略垂直に立ち上がっていることにより、採尿空間に尿が溜まって溜水１２に水没していく際に、側壁部４２が溜水１２によって抵抗を受け難く、また、形状が安定していて採尿空間内の尿に溜水が入り込むことを防ぐことができる。尿検体の必要量としては二次検査を配慮しても２５ｍＬ程度で十分なことから、排尿方向に個人差があったり、その方向が定まらない女性特有の排尿状態であったりしても、概ね溜水面積と同等のサイズであれば支障なく必要な尿量を採取できる。
【００３１】
以上、本発明の実施形態の一例について説明してきたいが、本発明に係わる尿採取容器としてはこれに限定されるものでなく、尿採取容器４０の底壁部４１は六角形以外の四角形や円形や楕円形であってもよく、本発明の特徴を含む範囲における様々な変形が可能である。
【符号の説明】
【００３２】
Ａ・・・尿流量測定便器
１・・・洋風大便器    
２・・・衛生洗浄装置
３・・・キャビネット
６・・・プリンター
７・・・操作・表示部
１１・・・ボウル部
１２・・・溜水
１３・・・リム
１４・・・トラップ流路
２１・・・便座
３１・・・背もたれ
４０・・・尿採取容器
４１・・・底壁部
４２・・・側壁部
４２ａ・・・折り返し部
４３・・・ガイド部
４３ａ・・・折り返し部
７１・・・衛生洗浄装置操作用リモコン
７２・・・排泄情報測定用リモコン
【図１】
2016114542.tif 000003
【図２】
2016114542.tif 000004
【図３】
2016114542.tif 000005
【図４】
2016114542.tif 000006